(57)【要約】      （修正有）【課題】投影型静電容量方式のタッチパネルを備える携帯端末装置において、使用状況の違いに起因して、タッチセンサにより検出される静電容量の変化値に基づく座標情報の出力感度が変化するのを抑制することができる携帯端末装置を提供する。【解決手段】携帯端末装置１においては、基準値算出部１７５は、表示面に対する基準値算出用タッチ操作に対してタッチセンサ１１２が検出した静電容量に基づいて、該タッチセンサ１１２の静電容量検出能力の基準を表す基準値を算出する。そして、座標情報出力部１７１は、表示面に対するタッチ操作に対してタッチセンサ１１２が検出した静電容量が、前記基準値以上である場合に、該タッチ操作によってタッチされた位置に対応する座標情報を生成し、該座標情報を出力する。【選択図】図１
2014174695.tif 000002
【特許請求の範囲】
【請求項１】
画像を表示可能な表示面を有する表示部と、
前記表示面に対するタッチ操作による静電容量を検出する、投影型静電容量方式の静電容量検出部と、
前記表示面に対するタッチ操作が、予め定める特定タッチ操作であるか否かを判断する操作条件判断部と、
前記操作条件判断部によって、前記表示面に対するタッチ操作が前記特定タッチ操作であると判断されると、該タッチ操作に対して前記静電容量検出部が検出した静電容量に基づいて、該静電容量検出部の静電容量検出能力の基準を表す基準値を算出する基準値算出部と、
前記操作条件判断部によって、前記表示面に対するタッチ操作が前記特定タッチ操作以外のタッチ操作であると判断されると、該タッチ操作に対して前記静電容量検出部が検出した静電容量が前記基準値以上である場合に、該タッチ操作によってタッチされた位置に対応する座標を表す座標情報を生成し、該座標情報を出力する座標情報出力部と、を備えることを特徴とする携帯端末装置。
【請求項２】
第１の消費電力で前記静電容量検出部が動作する第１電力モードと、該第１の消費電力よりも小さい第２の消費電力で前記静電容量検出部が動作する第２電力モードとを相互に切替える電力モード切替部をさらに備え、
前記操作条件判断部は、前記電力モード切替部によって第２電力モードから第１電力モードに切替えられた後の、前記表示面に対するタッチ操作を、前記特定タッチ操作であると判断することを特徴とする請求項１に記載の携帯端末装置。
【請求項３】
コンピュータを、請求項１または２に記載の携帯端末装置として機能させるためのプログラム。
【請求項４】
請求項３に記載のプログラムを記録したコンピュータ読取可能な記録媒体。
【発明の詳細な説明】
【技術分野】
【０００１】
本発明は、携帯端末装置、プログラムおよび記録媒体に関する。
【背景技術】
【０００２】
近年、スマートフォンなどの携帯端末装置は、タッチパネルの搭載が急速に進んでいる。スマートフォンに搭載されるタッチパネルは、ユーザによってタッチ操作される表示面を有し、その表示面に画像を表示する表示部と、該表示部に重畳されたタッチセンサとを備える。タッチパネルとしては、抵抗膜方式などの方式が広く普及しているが、表示面に対して接触することなく、単に近接することによってもタッチ操作によるタッチ位置を検出することが可能な投影型静電容量方式のタッチパネルの普及も進んでいる。
【０００３】
投影型静電容量方式のタッチパネルでは、表示面に対してマトリクス状に配置される複数の電極について、ユーザの指先と電極との間の静電容量をタッチセンサが検出し、その検出された静電容量が予め定める基準値以上である場合に、表示面に対するタッチ操作によってタッチされた位置に対応する座標情報を出力する。
【０００４】
特許文献１には、基準電位に対する電位の変動を検出するセンサを備えた入力装置に関する技術が記載されている。特許文献１に記載の入力装置は、スリープモードと通常モードとを切替可能であり、スリープモードが所定期間継続した場合に、通常モードに切替えてセンサの校正処理を周期的かつ自動的に実行する。このような入力装置では、長期間にわたってスリープモードが継続した場合に、センサの校正処理が実行されるので、基準電位のずれを抑制することが可能となる。
【先行技術文献】
【特許文献】
【０００５】
【特許文献１】特開２０１０−１５２５８７号公報
【発明の概要】
【発明が解決しようとする課題】
【０００６】
特許文献１に記載の入力装置におけるセンサの校正処理に関する技術を、携帯端末装置に備えられるタッチパネルのタッチセンサについて適用した場合、タッチセンサの校正処理を周期的かつ自動的に実行することができる。
【０００７】
しかしながら、投影型静電容量方式のタッチパネルが搭載された携帯端末装置において、特許文献１に記載の技術を適用するのみでは、ユーザごと、あるいは、携帯端末装置を使用するタイミングごとに、表示面に対するタッチ操作によってタッチされた位置に対応する座標情報の出力感度を調整することができない。
【０００８】
たとえば、投影型静電容量方式のタッチパネルでは、ユーザの指先と電極との間の静電容量をタッチセンサが検出するので、（１）ユーザの指先の乾燥度合い、（２）手袋を装着しているか否か、（３）ユーザごとのタッチ操作の癖による違い、などの使用状況の違いが要因で、タッチセンサにより検出される静電容量が変化してしまい、その結果、検出された静電容量に基づく座標情報の出力感度が変化してしまう。たとえば、乾燥した指先でタッチ操作が行われる使用状況下では、タッチセンサにより検出される静電容量が小さくなるので、座標情報の出力感度が低下してしまい、ユーザがタッチ操作を行っているにもかかわらず、そのタッチ操作によってタッチされた位置に対応する座標情報が出力されないおそれがある。
【０００９】
本発明の目的は、投影型静電容量方式のタッチパネルを備える携帯端末装置において、使用状況の違いに起因して、タッチセンサにより検出される静電容量に基づく座標情報の出力感度が変化するのを抑制することができる携帯端末装置、プログラムおよび記録媒体を提供することである。
【課題を解決するための手段】
【００１０】
本発明は、画像を表示可能な表示面を有する表示部と、
前記表示面に対するタッチ操作による静電容量を検出する、投影型静電容量方式の静電容量検出部と、
前記表示面に対するタッチ操作が、予め定める特定タッチ操作であるか否かを判断する操作条件判断部と、
前記操作条件判断部によって、前記表示面に対するタッチ操作が前記特定タッチ操作であると判断されると、該タッチ操作に対して前記静電容量検出部が検出した静電容量に基づいて、該静電容量検出部の静電容量検出能力の基準を表す基準値を算出する基準値算出部と、
前記操作条件判断部によって、前記表示面に対するタッチ操作が前記特定タッチ操作以外のタッチ操作であると判断されると、該タッチ操作に対して前記静電容量検出部が検出した静電容量が前記基準値以上である場合に、該タッチ操作によってタッチされた位置に対応する座標を表す座標情報を生成し、該座標情報を出力する座標情報出力部と、を備えることを特徴とする携帯端末装置である。
【００１１】
また本発明の携帯端末装置は、第１の消費電力で前記静電容量検出部が動作する第１電力モードと、該第１の消費電力よりも小さい第２の消費電力で前記静電容量検出部が動作する第２電力モードとを相互に切替える電力モード切替部をさらに備え、
前記操作条件判断部は、前記電力モード切替部によって第２電力モードから第１電力モードに切替えられた後の、前記表示面に対するタッチ操作を、前記特定タッチ操作であると判断することを特徴とする。
【００１２】
また本発明は、コンピュータを、前記携帯端末装置として機能させるためのプログラムである。
【００１３】
また本発明は、前記プログラムを記録したコンピュータ読取可能な記録媒体である。
【発明の効果】
【００１４】
本発明によれば、表示部、静電容量検出部、操作条件判断部、基準値算出部および座標情報出力部を備える携帯端末装置である。携帯端末装置においては、静電容量検出部が、表示部の表示面に対するタッチ操作による静電容量を検出し、操作条件判断部が、表示面に対するタッチ操作が予め定める特定タッチ操作であるか否かを判断する。基準値算出部は、操作条件判断部によって、表示面に対するタッチ操作が特定タッチ操作であると判断されると、該タッチ操作に対して静電容量検出部が検出した静電容量に基づいて、該静電容量検出部の静電容量検出能力の基準を表す基準値を算出する。そして、座標情報出力部は、操作条件判断部によって、表示面に対するタッチ操作が特定タッチ操作以外のタッチ操作であると判断されると、該タッチ操作に対して静電容量検出部が検出した静電容量が前記基準値以上である場合に、該タッチ操作によってタッチされた位置に対応する座標を表す座標情報を生成し、該座標情報を出力する。
【００１５】
このように構成された携帯端末装置では、座標情報出力部は、基準値算出部が算出した、静電容量検出部の静電容量検出能力の基準を表す基準値に基づいて、タッチ操作に対応する座標情報を生成して出力するので、ユーザの指先の乾燥度合いの違いなどの、使用状況の違いに起因して、静電容量検出部によって検出された静電容量に基づく座標情報の出力感度が変化するのを抑制することができる。その結果、たとえば、乾燥した指先でタッチ操作が行われる使用状況下において、静電容量検出部によって検出される静電容量が小さくなるような場合であっても、座標情報の出力感度の低下を抑制することができ、ユーザによるタッチ操作のタッチ位置に対応する座標情報を、種々の使用状況下において高精度に出力することができる。
【００１６】
また本発明によれば、携帯端末装置は、電力モード切替部をさらに備える。この電力モード切替部は、第１の消費電力で静電容量検出部が動作する第１電力モードと、該第１の消費電力よりも小さい第２の消費電力で静電容量検出部が動作する第２電力モードとを相互に切替える。そして、操作条件判断部は、電力モード切替部によって第２電力モードから第１電力モードに切替えられた後の、表示面に対するタッチ操作を、前記特定タッチ操作であると判断する。これによって、第２電力モードから第１電力モードにモードが切替えられる度に、座標情報の出力時に用いられる基準値が、基準値算出部によって算出される。
【図面の簡単な説明】
【００１７】
【図１】本発明の一実施形態に係る携帯端末装置１の構成を示すブロック図である。
【図２】タッチパネル１１に対するタッチ操作に対応した座標情報の出力感度を調整する手順を説明するための図である。
【図３】制御部１７が座標情報出力感度制御プログラムを実行することによって行われる座標情報出力感度制御処理の処理手順を示すフローチャートである。
【発明を実施するための形態】
【００１８】
以下、本発明の携帯端末装置の実施の形態について、図面を参照しながら説明する。なお、この実施の形態によってこの発明が限定されるものではない。
【００１９】
図１は、本発明の一実施形態に係る携帯端末装置１の構成を示すブロック図である。図２は、タッチパネル１１に対するタッチ操作に対応した座標情報の出力感度を調整する手順を説明するための図である。携帯端末装置１は、スマートフォンであり、タッチパネル１１と、移動体通信モジュール１２と、音声処理部１３と、記憶部１４と、計時部１５と、操作キー部１６と、制御部１７とを含んで構成される。
【００２０】
タッチパネル１１は、ユーザによってタッチ操作される矩形状の表示面１１１Ａを有し、その表示面１１１Ａが外部に露出するように、筐体１８内に収容されている。タッチパネル１１は、その表示面１１１Ａに画像データに応じた画像を表示する表示部１１１と、表示部１１１に重畳されたタッチセンサ１１２とを有する。表示部１１１は、たとえば液晶パネルおよびバックライトを備える液晶ディスプレイ装置や、有機ＥＬ（Electro-Luminescence）ディスプレイ装置などの公知の表示装置によって実現される。
【００２１】
タッチセンサ１１２は、静電容量検出部として機能するものであり、投影型静電容量方式のセンサによって実現される。タッチセンサ１１２は、表示面１１１Ａに対してマトリクス状に配置される複数の電極について、ユーザの指先（またはスタイラスなど）と電極との間の静電容量を検出し、その検出した静電容量に関する情報を、制御部１７へ出力する。
【００２２】
移動体通信モジュール１２は、たとえばＩＭＴ−２０００（International Mobile Telecommunications 2000）規格に準拠した第３世代移動通信システムなどの移動体通信システムによる無線通信を実行する無線通信デバイスである。移動体通信モジュール１２は、移動体通信のセルラーネットワークの無線基地局との間で無線接続を確立することによって、ＣＤＭＡ（Code Division Multiple Access）などの方式によって無線通信を行う。
【００２３】
音声処理部１３は、携帯端末装置１の電話機能により通話を行うための音声の入出力インターフェイスであり、受話口１３１Ａに設けられるスピーカ１３１、および、送話口１３２Ａに設けられるマイクロホン１３２が接続され、スピーカ１３１を介して音声を出力し、マイクロホン１３２を介して音声を入力する。音声処理部１３は、通話相手などから受信した受話音声データ（デジタル信号）を、音声復号部で復号した後、ＤＡ変換器でデジタル信号からアナログ信号に変換し、増幅器で信号増幅した後、スピーカ１３１から出力する。また、音声処理部１３は、ユーザが発した送話音声を、マイクロホン１３２により電気信号に変換し、増幅器で信号増幅した後、ＡＤ変換器でアナログ信号からデジタル信号に変換する。
【００２４】
記憶部１４は、フラッシュメモリなどの半導体メモリによって実現され、携帯端末装置１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、メモ帳機能を実現するためのメモ帳プログラム、およびＷｅｂブラウジング機能を実現するブラウザプログラムなどの種々のアプリケーションプログラムが記憶される。
【００２５】
本実施形態では、この記憶部１４には、コンピュータを携帯端末装置１として機能させるためのプログラムであり、後述する座標情報出力感度制御処理を実行するためのプログラム（以下、「座標情報出力感度制御プログラム」と称する）が記憶されている。なお、この座標情報出力感度制御プログラムは、携帯端末装置１に予めインストールされていてもよく、または、インターネットからダウンロードするなどして取得し、インストールされてもよい。
【００２６】
制御部１７は、携帯端末装置１の各部の動作を制御する処理部であり、たとえばＣＰＵ（Central Processing Unit）、ＲＯＭ（Read Only Memory）およびＲＡＭ（Random Access Memory）によって実現される。制御部１７は、記憶部１４からＲＡＭにロードされるオペレーティングシステムプログラムおよびアプリケーションプログラムを実行するとともに、座標情報出力感度制御プログラムを実行する。
【００２７】
制御部１７は、座標情報出力部１７１と、表示制御部１７２と、電力モード切替部１７３と、操作条件判断部１７４と、基準値算出部１７５とを含んで構成される。制御部１７は、座標情報出力感度制御プログラムを実行することによって、本発明における座標情報出力部１７１、表示制御部１７２、電力モード切替部１７３、操作条件判断部１７４、および基準値算出部１７５として機能する。
【００２８】
制御部１７は、記憶部１４に記憶されている座標情報出力感度制御プログラムを実行することによって、座標情報出力部１７１による座標情報の出力時に用いられる基準値を算出して、座標情報出力部１７１による座標情報の出力感度を制御する処理を行う。
【００２９】
座標情報出力部１７１は、後述の操作条件判断部１７４によって、表示面１１１Ａに対するタッチ操作が、予め定める条件が満たされた特定タッチ操作（以下、「基準値算出用タッチ操作」と称する）以外のタッチ操作であると判断されると、座標情報を生成して出力する。この座標情報出力部１７１は、表示面１１１Ａに対するタッチ操作に対してタッチセンサ１１２が検出した静電容量が、後述の基準値算出部１７５によって算出される基準値以上である場合に、表示面１１１Ａに対するタッチ操作によってタッチされた位置に対応する座標情報を生成し、その座標情報を出力する。
【００３０】
表示制御部１７２は、表示部１１１を制御する機能を有し、たとえば、座標情報出力部１７１によって出力された座標情報に基づいてアプリケーションプログラムが実行された場合に、そのアプリケーションプログラムに対応したアプリケーション画像が表示面１１１Ａに表示されるように、表示部１１１を制御する。
【００３１】
電力モード切替部１７３は、操作キー部１６に対するユーザによる押下操作、および計時部１５による時間の計時結果に基づいて、第１の消費電力でタッチセンサ１１２が動作する第１電力モード（通常モード）と、該第１の消費電力よりも小さい第２の消費電力でタッチセンサ１１２が動作する第２電力モード（スリープモード）とを、相互に切替える。具体的には、電力モード切替部１７３は、操作キー部１６が押下操作されることによって、通常モードとスリープモードとを相互に切替える。また、電力モード切替部１７３は、通常モードの状態において、タッチセンサ１１２によって静電容量が検出されない未検出状態が継続する継続時間が、予め定める閾値以上となったことを計時部１５によって計時された場合に、通常モードからスリープモードに電力モードを切替える。
【００３２】
本実施形態の携帯端末装置１は、パターンロックの設定が可能に構成されている。携帯端末装置１においてパターンロックが設定された場合、ユーザにより予め設定されたロックパターンが表示面１１１Ａに描画されない限り、アプリケーションプログラムなどが実行されない。携帯端末装置１は、電力モード切替部１７３によってスリープモードから通常モードに電力モードが切替えられたときに、表示面１１１Ａに対するロックパターンの描画を要求するパターンロックが設定されている。
【００３３】
本実施形態の携帯端末装置１に設定されるパターンロックのロックパターンは、電力モード切替部１７３によってスリープモードから通常モードに電力モードが切替えられた後に表示面１１１Ａに表示される矩形状の初期画面に予め設定される４個以上９個以下の複数の点を、所定の順序で通る線分の軌跡である。図２に示す例では、ロックパターンは、表示面１１１Ａに表示される初期画面内に設定された７個の点を通る「Ｚ」字状の軌跡である。電力モード切替部１７３によってスリープモードから通常モードに電力モードが切替えられた後に表示面１１１Ａに表示される初期画面に対して、「Ｚ」字状のロックパターンの軌跡を描画するタッチ操作が行われることによって、パターンロックが解除される。
【００３４】
操作条件判断部１７４は、表示面１１１Ａに対するタッチ操作が予め定める条件が満たされた特定タッチ操作（以下、「基準値算出用タッチ操作」と称する）であるか否かを判断する。本実施形態では、操作条件判断部１７４は、電力モード切替部１７３によってスリープモードから通常モードに切替えられた後の、表示面１１１Ａに対するタッチ操作を、基準値算出用タッチ操作であると判断する。すなわち、操作条件判断部１７４は、電力モード切替部１７３によってスリープモードから通常モードに電力モードが切替えられた後に表示面１１１Ａに表示される初期画面に対する、パターンロックを解除するためのロックパターンの軌跡を描画するタッチ操作を、基準値算出用タッチ操作であると判断する。
【００３５】
操作条件判断部１７４によって、表示面１１１Ａに対するタッチ操作が基準値算出用タッチ操作であると判断されると、基準値算出部１７５は、該基準値算出用タッチ操作に対してタッチセンサ１１２が検出した静電容量に基づいて、座標情報出力部１７１による座標情報の出力時に用いられる、タッチセンサ１１２の静電容量検出能力の基準を表す基準値を、算出する。具体的には、基準値算出部１７５は、基準値算出用タッチ操作としての、パターンロックを解除するためのロックパターンの軌跡を描画するタッチ操作の全体において検出された静電容量の平均値を算出し、その算出された平均値を、座標情報出力部１７１による座標情報の出力時に用いられる基準値とする。
【００３６】
なお、基準値算出部１７５は、電力モード切替部１７３によって通常モードからスリープモードに電力モードが切替えられると、座標情報出力部１７１による座標情報の出力時に用いられる基準値を、記憶部１４に記憶されている予め定められる初期基準値に戻す処理を行う。
【００３７】
図３は、制御部１７が座標情報出力感度制御プログラムを実行することによって行われる座標情報出力感度制御処理の処理手順を示すフローチャートである。
【００３８】
携帯端末装置１がスリープモードに設定された状態で処理が開始され、ステップｓ１に進む。なお、スリープモードが設定された状態では、座標情報出力部１７１による座標情報の出力時に用いられる基準値としては、記憶部１４に記憶されている予め定められる初期基準値に設定されている。
【００３９】
ステップｓ１では、電力モード切替部１７３は、ユーザにより操作キー部１６が押下操作されたか否かを判断する。電力モード切替部１７３は、操作キー部１６が押下操作された場合には、スリープモードから通常モードに電力モードを切替えて、携帯端末装置１の動作をステップｓ２に進ませ、操作キー部１６が押下操作されていない場合には、電力モードをスリープモードの状態に保持する。
【００４０】
ステップｓ２では、表示制御部１７２は、表示部１１１を制御し、パターンロックが設定された通常モードの初期画面を表示面１１１Ａに表示させる。
【００４１】
次に、ステップｓ３では、制御部１７は、表示部１１１の表示面１１１Ａに対してタッチ操作が開始されたか否かを判断する。制御部１７は、タッチセンサ１１２によって静電容量が検出されたか否かによりタッチ操作が開始されたか否かの判断を行う。制御部１７によって表示面１１１Ａに対してタッチ操作が開始されたと判断された場合にはステップｓ４に進み、表示面１１１Ａに対してタッチ操作が開始されていないと判断された場合にはステップｓ３を繰返す。
【００４２】
ステップｓ４では、操作条件判断部１７４は、電力モード切替部１７３によってスリープモードから通常モードに電力モードが切替えられた後の、ステップｓ３で開始されたタッチ操作、すなわち、パターンロックを解除するためのロックパターンの軌跡を描画するタッチ操作を、基準値算出用タッチ操作であると判断する。
【００４３】
次に、ステップｓ５では、タッチセンサ１１２は、表示面１１１Ａに対してロックパターンの軌跡を描画する基準値算出用タッチ操作による静電容量を、検出する。
【００４４】
次に、ステップｓ６では、制御部１７は、表示部１１１の表示面１１１Ａに対するタッチ操作が終了されたか否かを判断する。制御部１７は、タッチセンサ１１２による静電容量の検出が継続されているか否かによりタッチ操作が終了されたか否かの判断を行う。制御部１７によって表示面１１１Ａに対するタッチ操作が終了されたと判断された場合にはステップｓ７に進み、表示面１１１Ａに対するタッチ操作が終了されていないと判断された場合にはステップｓ５に戻る。
【００４５】
ステップｓ７では、制御部１７は、表示面１１１Ａに対する基準値算出用タッチ操作、すなわち、ロックパターンの軌跡を描画するタッチ操作によって、パターンロックを解除する。パターンロックの解除は、記憶部１４に記憶されているロックパターンと、表示面１１１Ａに対するタッチ操作により描画された軌跡とが一致することにより行われる。
【００４６】
そして、ステップｓ８では、基準値算出部１７５は、基準値算出用タッチ操作に対してタッチセンサ１１２が検出した静電容量に基づいて、座標情報出力部１７１による座標情報の出力時に用いられる基準値を、算出する。
【００４７】
本実施形態では、パターンロックを解除するためのロックパターンの軌跡を描画するタッチ操作が、基準値算出用タッチ操作として設定されている。したがって、基準値算出部１７５は、ロックパターンの軌跡を描画するタッチ操作の全体において検出された静電容量の平均値を算出し、その算出された平均値を、座標情報出力部１７１による座標情報の出力時に用いられる基準値とする。
【００４８】
以上のように、本実施形態の携帯端末装置１によれば、座標情報出力部１７１は、基準値算出部１７５が算出した、タッチセンサ１１２の静電容量検出能力の基準を表す基準値に基づいて、タッチ操作に対応する座標情報を生成して出力するので、ユーザの指先の乾燥度合いの違いなどの、使用状況の違いに起因して、タッチセンサ１１２によって検出された静電容量に基づく座標情報の出力感度が変化するのを抑制することができる。その結果、たとえば、乾燥した指先でタッチ操作が行われる使用状況下において、タッチセンサ１１２によって検出される静電容量が小さくなるような場合であっても、座標情報の出力感度の低下を抑制することができ、ユーザによるタッチ操作のタッチ位置に対応する座標情報を、種々の使用状況下において高精度に出力することができる。
【００４９】
上記の実施形態では、座標情報出力感度制御プログラムは、半導体メモリによって実現される記憶部１４に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００５０】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００５１】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００５２】
１  携帯端末装置
１１  タッチパネル
１２  移動体通信モジュール
１３  音声処理部
１４  記憶部
１５  計時部
１６  操作キー部
１７  制御部
１１１  表示部
１１２  タッチセンサ
１７１  座標情報出力部
１７２  表示制御部
１７３  電力モード切替部
１７４  操作条件判断部
１７５  基準値算出部
【図１】
2014174695.tif 000003
【図２】
2014174695.tif 000004
【図３】
2014174695.tif 000005